(57)【要約】      （修正有）【課題】簡便かつ低コストの下において、任意の方向に滑り止め機能が発揮される滑り止めの機構を提供する。【解決手段】第一滑り止め部２の上面に、複数の突条３を数本ごとにまとまった帯状に構成するとともに、各帯の間を、突条３の形成されていない平坦部４とする。この平坦部４に樹脂シートからなり、その表面に、突条３の向きと９０度異なる向きの突条５を形成した第二滑り止め部材６を設ける。各滑り止め部材２、６は、使用者が常に足で踏むことができるよう、その幅や配置が決められている。このため、いずれの方向に滑りの力が作用しても、足裏と突条３、５との間の摩擦によって、高い滑り止め効果が発揮される。【選択図】図３
0003172458.tif 000002
【実用新案登録請求の範囲】
【請求項１】
一方向の突条（３）を形成した第一滑り止め部（２）と、前記一方向の突条（３）と異なる他方向の突条（５）を形成した第二滑り止め部（６）とを備え、両滑り止め部（２、６）に形成した突条（３、５）の少なくとも一方によって滑り止めがなされるようにした滑り止め機構。
【請求項２】
前記第一滑り止め部（２）に形成した突条（３）の延長線上に、前記第二滑り止め部（６）が設けられている請求項１に記載の滑り止め機構。
【請求項３】
使用者が前記第一滑り止め部（２）に形成した突条（３）と、第二滑り止め部（６）に形成した突条（５）を同時に踏むように両滑り止め部（２、６）が配置されている請求項１に記載の滑り止め機構。
【請求項４】
前記第一滑り止め部（２）及び前記第二滑り止め部（６）のいずれか一方の滑り止め部（２、６）が、他方の滑り止め部（２、６）に対して着脱自在に設けられている請求項１から３のいずれか一つに記載の脚立又は踏み台。
【請求項５】
請求項１から３のいずれか一つに記載の滑り止め機構を採用した脚立又は踏み台。
【考案の詳細な説明】
【技術分野】
【０００１】
この考案は、脚立、踏み台等の踏桟又は天板の滑り止め機構に関する。
【背景技術】
【０００２】
脚立、踏み台等の踏桟や天板には、足を掛けた際の安全性を高めるために、滑り止め機構を設けることが要求されている（「住宅用金属製脚立の認定基準及び基準確認方法」（財団法人製品安全協会編）の４．安全性品質、認定基準１（４）を参照）。この滑り止め機構として、例えば、特許文献１には、一方向（脚立の天板の横幅方向）に延びる複数の突条を形成した脚立が開示されている（同文献の図２を参照）。使用者が足を踏み込んだ際に、この突条と使用者の足底が摩擦する（突条の山に足底が引っ掛かる）ことによって、この踏み込みの方向への滑り止め効果が発揮される。
【０００３】
この一方向に延びる突条は、アルミニウム等の素材を押出成形することにより、踏桟や天板と一体に形成するのが一般的である。この押出成形は、成形体を連続的に製造できるため製造効率が高く、コスト低減の面で優れているからである。
【先行技術文献】
【特許文献】
【０００４】
【特許文献１】実開平６−１６６９９号公報
【考案の概要】
【考案が解決しようとする課題】
【０００５】
特許文献１に記載の構成は、突条の形成は一方向のみなので、この方向と交差する方向（足の踏み込み方向）への滑り止め機能は発揮するが、突条に沿う方向（昇降面に対して左右方向）に対しては、滑り止めの機能を何ら発揮し得ない。しかも、脚立はその左右方向への安定性がそれほど高くなく、使用者が何らかの原因でこの左右方向に足を滑らせると、脚立の安定性が大きく損なわれることがある。
【０００６】
この天板等の形成においては、交差する凹溝を形成した鋳型にアルミニウム等の溶湯を流し込んで形成する鋳造法を採用することもできる。この場合、前記凹溝の形状に対応して、突条の方向を自由に設計することができ、この突条による滑り止め機能を一層高め得る。しかしながら、押出成形によって連続的に成形するのと比較して製造効率が低く、そのコストが嵩みやすい。このため、コスト低減が強く要求される一般家庭向きの脚立等の用途には採用しづらいのが現状である。
【０００７】
そこで、この考案は、簡便かつ低コストの下において、任意の方向に滑り止め機能が発揮されるようにすることを課題とする。
【課題を解決するための手段】
【０００８】
上記の課題を解決するため、この考案は、一方向の突条を形成した第一滑り止め部と、前記一方向の突条と異なる他方向の突条を形成した第二滑り止め部とを備え、両滑り止め部に形成した突条の少なくとも一方によって滑り止めがなされるようにした滑り止め機構を構成した。
【０００９】
滑り止め部による滑り止め機能は、足等が滑る方向（通常は足の踏み込み方向）に凹凸を形成し、この凹凸と足底が摩擦して抵抗となることによって、前記方向への足の滑りを抑制するものである。
【００１０】
例えば脚立の場合、使用者が天板に立った状態のまま、足の踏み位置を少しずつ変えながら作業を行うことがよくあるが、このとき、足の踏み出し方向が、常に滑り止め効果を発揮し得る方向に向いているとは限らない。このとき、一方向のみに突条を形成するだけでなく、この突条と異なる他方向にも突条を形成しておけば、任意の方向に対する滑り止め効果が発揮され、安全性が一層高まる。
【００１１】
上記のように一方向の突条を形成する代わりに、この突条と同じ方向に伸びる凹溝としてもよい。この凹溝の幅方向両側から立ち上がるエッジ部が摩擦抵抗となって、突条と同様に、滑り止め効果を発揮するためである。
【００１２】
前記構成においては、前記第一滑り止め部に形成した突条の延長線上に、前記第二滑り止め部を設けるようにすることができる。
【００１３】
使用者の足の踏み出し方向が、第一滑り止め部に形成した突条の方向と一致する場合、その方向には足が滑ることがある。このように滑りが生じたとしても、この突条の延長線上に設けた第二滑り止め部に形成した突条は、この滑り方向と異なっているため、第二滑り止め部によって直ちに滑り止め効果が発揮される。このため、使用者の姿勢が大きく乱れる恐れは低く、安全に作業を続けることができる。
【００１４】
また、前記構成においては、使用者が前記第一滑り止め部に形成した突条と、第二滑り止め部に形成した突条を同時に踏むように両滑り止め部を配置することもできる。
【００１５】
両滑り止め部には、それぞれ異なる方向の突条が形成されており、両突条を同時に踏むことにより、足の踏み出し方向にかかわらず滑り止め効果が発揮される。このため、使用者が脚立等の天板に立った状態のまま作業を行う場合において、その作業を安全に続けることができる。
【００１６】
また、前記各構成においては、前記第一滑り止め部及び前記第二滑り止め部のいずれか一方の滑り止め部を、他方の滑り止め部に対して着脱自在に設けるようにすることができる。
【００１７】
この滑り止め部は、使用に伴って次第に摩耗し、その滑り止め効果が次第に低下することがある。そこで、この滑り止め部を着脱自在に設け、劣化した滑り止め部を新品に容易に交換し得るようにすることで、当初の滑り止め効果を維持することができる。
【００１８】
前記各構成に示した滑り止め機構は、脚立又は踏み台に採用することができる。
この脚立や踏み台には、踏桟や天板が設けられ、上記のように使用者はその上に乗った状態（立った状態）で作業することが多い。この滑り止め機構を採用することで、作業中の滑りを効果的に抑制することができ、不安定な姿勢となりやすい脚立や踏み台上での作業の安全性を高めることができる。
【考案の効果】
【００１９】
この考案では、突条の形成方向が互いに異なる二つの滑り止め部で滑り止め機構を構成した。このように複数の滑り止め部を設けることにより、一方の滑り止め部に形成した突条の方向と足の踏み出し方向が一致して、その滑り止め部で滑り止め効果が発揮できなかったとしても、他方の滑り止め部で滑り止め効果が直ちに発揮される。このため、特に脚立や踏み台のように、安定した作業姿勢が要求される用途にこの滑り止め機構を適用することにより、脚立や踏み台の高い安全性を確保することができる。
【図面の簡単な説明】
【００２０】
【図１】この考案に係る踏み台の一実施形態を示す斜視図
【図２】図１に示す踏み台の側面図
【図３】図２に示す踏み台の天板の断面図
【図４】図３に示す天板の要部断面図
【図５】天板の他例を示す断面図であって、（ａ）は凹溝内に第二滑り止め部を設けたもの、（ｂ）は凹溝外に第二滑り止め部を設けたもの
【図６】この考案に係る踏み台の他の実施形態を示す斜視図
【図７】この考案に係る脚立を示す斜視図
【考案を実施するための形態】
【００２１】
この考案に係る踏み台の一実施形態を図１〜５に示す。この踏み台は、長椅子として、あるいは玄関等に置いて靴を履いたりする際に一時的に腰掛ける台として使用できるものであって、天板１（座面）はアルミニウムの素材を押出成形によって成形した第一滑り止め部２を同一方向に４本並べて構成している。第一滑り止め部２の上面には、その押出成形の方向に沿うように、その全長に亘って複数本の突条３が形成されている。各突条３は、数本ごとにまとまって帯状に構成されており、各帯の間は、前記押出成形の方向への突条３が形成されていない平坦部４となっている（図３を参照）。
【００２２】
この平坦部４には、第一滑り止め部２に形成した突条３と交差する方向の突条５を形成したシート状の第二滑り止め部６が、隙間なく設けられている。この第二滑り止め部６の素材として樹脂材を用いるのがコスト面で好ましいが、耐久性を考慮して第一滑り止め部２と同様にアルミニウム等の金属製とすることもできる。この素材は樹脂材やアルミニウム等の金属に限定されず、コスト、作業性等の種々の要素を総合的に勘案した上で、適宜選択し得る。
【００２３】
第一滑り止め部２に形成した突条３の帯の幅、及び、第二滑り止め部６の幅は、それぞれ適宜決めることができるが、一般的な使用者の足のサイズを考慮した上で決めるのが好ましい。例えば、一般的な使用者の足（靴底）の横幅が１０ｃｍとすると、第一滑り止め部２に形成した突条３の帯の幅、及び、第二滑り止め部６の幅は、足の横幅よりも小さく（例えば５ｃｍ）とするのが好ましい。
【００２４】
このようにすれば、使用者が天板１に足を乗せた際に、第一滑り止め部２と第二滑り止め部６にそれぞれ形成した突条３、５を同時に踏むことができる。この突条３、５は、それぞれ異なる方向に形成されているため、これらの突条３、５によっていずれの方向の滑りも防止され、高い滑り止め効果が発揮される。
【００２５】
第一滑り止め部２に形成した突条３の帯の幅、及び、第二滑り止め部６の幅が、使用者の足底の横幅よりも大きい場合は、両突条３、５を同時に踏むことができず、足の踏み出し方向によっては、この突条３、５による滑り止め効果を発揮できない場合がある。この場合は、第一滑り止め部２に形成した突条３の延長線上に、第二滑り止め部６を配置するようにすればよい。このようにすれば、仮に第一滑り止め部２で滑りが生じたとしても、その延長線上にある第二滑り止め部６で直ちに滑り止めがなされるため、使用者の姿勢が大きく乱れる恐れは低い。
【００２６】
両滑り止め部２、６に形成する突条３、５の相対角度は、本実施形態のように９０度とするのが滑り止め効果の点で好ましいが、両突条３、５が非平行である限り、適宜この相対角度を変更することもできる。このように非平行とすることにより、足の踏み出し方向に沿わない方向の突条３、５が必ず存在し、この突条３、５によって滑り止め効果を発揮し得るためである。
【００２７】
この踏み台を長期間に亘って使用すると、滑り止め部２、６に形成した突条３、５が次第に摩耗して、滑り止め効果が低下することがある。この場合、第一滑り止め部２に設けた第二滑り止め部６を取り外して、新品の第二滑り止め部６に交換することにより、滑り止め効果の低下を極力防ぐことができる。
【００２８】
第一滑り止め部２を突条３で構成する代わりに、図５（ａ）及び（ｂ）に示すように、この突条３と同じ方向に伸びる凹溝８とすることもできる。この凹溝８の幅方向両側から立ち上がるエッジ部８ａが摩擦抵抗となって、高い滑り止め効果が発揮される。第二滑り止め部６は、凹溝８内（同図（ａ）を参照）、凹溝８外（同図（ｂ）を参照）のいずれに設けることもできる。
【００２９】
この考案に係る踏み台の他の実施形態を図６に示す。この踏み台は、図１等に示した踏み台とほぼ同じ構成であるが、第二滑り止め部６の突条５を形成する箇所と、形成しない箇所とが格子状に配置されている点で異なる。このように配置すると、踏み台の天板１にこの格子状の模様が現れ、その外観の向上を図ることができる。また、踏み台の脚部７に固定金具９を設けることで、玄関先や縁側等にこの固定金具９で固定することができる。
【００３０】
この考案に係る脚立の一実施形態を図７に示す。この脚立は支柱１０を開き止め金具１１によって自在に開閉し得るようにしたアルミニウム製の折り畳み式のものである。この支柱１０の上部には天板１が、中程には踏桟１２が設けられている。この天板１は、アルミニウムの素材を押出成形により成形した第一滑り止め部２（天板１の本体）と、この第一滑り止め部２の表面に設けられた第二滑り止め部６からなる。
【００３１】
この第二滑り止め部６には、図６に示した踏み台と同様に、格子状に突条５が形成されている。この突条５の形成パターンは、滑り止め効果を発揮し得る限りにおいて、適宜変更することができる。
【００３２】
また、本実施形態に係る踏桟１２には、第一滑り止め部２が一体に形成されているが、天板１と同様に、この踏桟１２にも第二滑り止め部６を設けることができる。このようにすれば、踏桟１２上で使用者の足が横滑りする恐れは低く、昇降の際の安全性が一段と向上する。
【００３３】
本願考案に係る滑り止め機構は、上述した踏み台や脚立の他にも、滑り止めを必要とする箇所、例えば、階段、通路、駅のホーム、その他の公共施設等、幅広く適用することができる。この滑り止め機構を設けることで、滑りに伴う転倒等の危険を効果的に防止することができる。
【符号の説明】
【００３４】
１  天板
２  第一滑り止め部
３  （第一滑り止め部の）突条
４  平坦部
５  （第二滑り止め部の）突条
６  第二滑り止め部
７  脚部
８  凹溝
８ａ  （凹溝の）エッジ部
９  固定金具
１０  支柱
１１  開き止め金具
１２  踏桟
【図１】
0003172458.tif 000003
【図２】
0003172458.tif 000004
【図３】
0003172458.tif 000005
【図４】
0003172458.tif 000006
【図５】
0003172458.tif 000007
【図６】
0003172458.tif 000008
【図７】
0003172458.tif 000009
【手続補正書】
【提出日】平成23年10月19日(2011.10.19)
【手続補正１】
【補正対象書類名】実用新案登録請求の範囲
【補正対象項目名】全文
【補正方法】変更
【補正の内容】
【実用新案登録請求の範囲】
【請求項１】
一方向の突条（３）を形成した第一滑り止め部（２）と、前記一方向の突条（３）と異なる他方向の突条（５）を形成した第二滑り止め部（６）とを備え、両滑り止め部（２、６）に形成した突条（３、５）の少なくとも一方によって滑り止めがなされるようにした滑り止め機構。
【請求項２】
前記第一滑り止め部（２）に形成した突条（３）の延長線上に、前記第二滑り止め部（６）が設けられている請求項１に記載の滑り止め機構。
【請求項３】
使用者が前記第一滑り止め部（２）に形成した突条（３）と、第二滑り止め部（６）に形成した突条（５）を同時に踏むように両滑り止め部（２、６）が配置されている請求項１に記載の滑り止め機構。
【請求項４】
前記第一滑り止め部（２）及び前記第二滑り止め部（６）のいずれか一方の滑り止め部（２、６）が、他方の滑り止め部（２、６）に対して着脱自在に設けられている請求項１から３のいずれか一つに記載の滑り止め機構。
【請求項５】
請求項１から４のいずれか一つに記載の滑り止め機構を採用した脚立又は踏み台。